(57)【特許請求の範囲】
【請求項１】
上下に分割して配置され、予めドロー型におけるドロー工程において絞り加工されたワークを所定の形状にリストライク成形しながらトリム加工をするためのプレス成形金型であって、
前記ワークを曲げ成形するリストパンチと、
前記リストパンチの側方に設けられ、前記ワークを切断するトリムパンチと、
前記リストパンチに対して上下動し、前記ワークを前記リストパンチに押圧するリストダイと、
前記リストダイに並設され、前記リストダイと一体に上下動し、前記ワークを前記トリムパンチに押圧するトリムダイと、
前記トリムパンチの側方に、前記ワークの先端に予め前記ドロー工程において形成された段差と当接して前記ワークの位置決めをするワーク規制部と、
前記トリムダイの下部に、前記ワーク規制部と対向して、前記ワーク規制部と共に前記段差を挟持して前記ワークが浮き上がるのを防ぐワーク挟持部と、を備えたことを特徴とするプレス成形金型。
【請求項２】
上下に分割して配置され、予めドロー型におけるドロー工程において絞り加工されたワークを所定の形状にリストライク成形しながらトリム加工をするためのプレス成形金型におけるワークの流入防止方法であって、
前記プレス成形金型は、
前記ワークを曲げ成形するリストパンチと、
前記リストパンチの側方に設けられ、前記ワークを切断するトリムパンチと、
前記リストパンチに対して上下動し、前記ワークを前記リストパンチに押圧するリストダイと、
前記リストダイに並設され、前記リストダイと一体に上下動し、前記ワークを前記トリムパンチに押圧するトリムダイと、
前記トリムパンチの側方に、前記ワークの先端に予め前記ドロー工程において形成された段差と当接して前記ワークの位置決めをするワーク規制部と、
前記トリムダイの下部に、前記ワーク規制部と対向して、前記ワーク規制部と共に前記段差を挟持して前記ワークが浮き上がるのを防ぐワーク挟持部と、を備え、
前記段差を前記ワーク規制部に当接させて前記ワークを支持する工程と、
前記ワーク規制部と前記ワーク挟持部とで前記ワークの段差を水平方向から挟持した状態で、前記ワークのリストライク成形を開始する工程と、
前記ワーク規制部と前記ワーク挟持部とで前記ワークの段差を水平方向から挟持した状態で、前記ワークのリストライク成形を行いながら前記トリムダイを下降して前記ワークを切断する工程と、を有することを特徴とするワークの流入防止方法。
【発明の詳細な説明】
【０００１】
【発明の属する技術分野】
本発明はプレス成形金型およびプレス成形金型を用いたワークの流入防止方法に関し、特に、予め絞り加工されたワークをリストライク加工およびトリム加工の複合加工をするのに用いられるプレス成形金型およびそのプレス成形金型を用いたワークの流入防止方法に関する。
【０００２】
【従来の技術】
パネル材をワークとして、そのワークから、例えば、自動車のドアパネル等をプレス成形する工程は、ワークに絞り加工を行うドロー工程と、ドロー工程で最終製品の形状よりも絞り半径が大きく成形されたワークを所用の深さまで仕上げるリストライク工程と、リストライク工程で最終製品の形状となったワークから製品以外の不要な部分をスクラップとして切除するトリム工程とからなる。
【０００３】
従来は、図５に示すようなプレス成形金型１５を用いて、リストライク工程とトリム工程を同時に実施していた。プレス成形金型１５は、リストパンチ３とリストパンチ３の側方に設けられるトリムパンチ４を備え、リストパンチ３とトリムパンチ４の上方には、ワーク２をそれぞれリストパンチ３とトリムパンチ４に押圧するリストダイ５とトリムダイ１６が上下自在に配置される。なお、トリムダイ１６の下端には、トリムパンチ４と対向して、トリムパンチ４と共にワーク２を切断する切刃７が形成されている。
【０００４】
そして、ワーク２をプレス成形する際は、リストダイ５とトリムダイ１６が、リストパンチ３とトリムパンチ４に向けて一体に下降し、ワーク２をリストパンチ３とトリムパンチ４に押圧する。このとき、ワーク２のリスト成形部１２はリストパンチ３とリストダイ５により曲げ成形され、同時に、ワーク２の切断部１３はトリムパンチ４とトリムダイ１６の切刃７により切断される。
【０００５】
【発明が解決しようとする課題】
しかしながら、従来の技術では、ワーク２が曲げ成形される際に、ワーク２の先端が、ワーク２のリスト成形量Ｓの分だけ、トリムパンチ４の方向（図中の矢印Ｂ方向）に引き込まれて流入するという問題があった。ワーク２が矢印Ｂ方向に流入すると、ワーク２が切断される際に、ワーク２の切断部１３の位置がずれるので、切断部１３にしわが生じてしまう。これは、リストライク工程時にワーク２を曲げ成形する深さはワーク２の幅方向では違うので、その深さの違いによりワーク２の流入量に差があるためである。
【０００６】
本発明は、これらの課題を解決するためになされたもので、ワークをプレス成形する際に、ワークがトリムパンチの方向に流入するのを防ぎ、ワークの流入に起因するワークの切断部のしわの発生を防止することができるプレス成形金型およびそのプレス成形金型を用いたワークの流入防止方法を提供することを目的とする。
【０００７】
【問題を解決するための手段】
本発明は、上下に分割して配置され、予めドロー型におけるドロー工程において絞り加工されたワークを所定の形状にリストライク成形しながらトリム加工をするためのプレス成形金型であって、前記ワークを曲げ成形するリストパンチと、前記リストパンチの側方に設けられ、前記ワークを切断するトリムパンチと、前記リストパンチに対して上下動し、前記ワークを前記リストパンチに押圧するリストダイと、前記リストダイに並設され、前記リストダイと一体に上下動し、前記ワークを前記トリムパンチに押圧するトリムダイと、前記トリムパンチの側方に、前記ワークの先端に予め前記ドロー工程において形成された段差と当接して前記ワークの位置決めをするワーク規制部と、前記トリムダイの下部に、前記ワーク規制部と対向して、前記ワーク規制部と共に前記段差を挟持して前記ワークが浮き上がるのを防ぐワーク挟持部と、を備えたことを特徴とする。
【０００８】
このように構成することで、ワークをプレス成形する際に、ワークの先端部の位置決めをすることができる。
また、このように構成することで、ワークをプレス成形する際に、ワークの先端が浮き上がるのを防ぐことができる。
【０００９】
そして、本発明は、前記請求項２記載のプレス成形金型を用いて、上下に分割して配置され、予めドロー型におけるドロー工程において絞り加工されたワークを所定の形状にリストライク成形しながらトリム加工をするためのプレス成形金型におけるワークの流入防止方法であって、前記プレス成形金型は、前記ワークを曲げ成形するリストパンチと、前記リストパンチの側方に設けられ、前記ワークを切断するトリムパンチと、前記リストパンチに対して上下動し、前記ワークを前記リストパンチに押圧するリストダイと、前記リストダイに並設され、前記リストダイと一体に上下動し、前記ワークを前記トリムパンチに押圧するトリムダイと、前記トリムパンチの側方に、前記ワークの先端に予め前記ドロー工程において形成された段差と当接して前記ワークの位置決めをするワーク規制部と、前記トリムダイの下部に、前記ワーク規制部と対向して、前記ワーク規制部と共に前記段差を挟持して前記ワークが浮き上がるのを防ぐワーク挟持部と、を備え、前記段差を前記ワーク規制部に当接させて前記ワークを支持する工程と、前記ワーク規制部と前記ワーク挟持部とで前記ワークの段差を水平方向から挟持した状態で、前記ワークのリストライク成形を開始する工程と、前記ワーク規制部と前記ワーク挟持部とで前記ワークの段差を水平方向から挟持した状態で、前記ワークのリストライク成形を行いながら前記トリムダイを下降して前記ワークを切断する工程と、を有することを特徴とするワークの流入防止方法である。
【００１０】
このように構成することで、ワークをプレス成形する際に、ワークがトリムパンチの方向に流入するのを防止することができる。
また、このように構成することで、ワークをプレス成形する際に、ワークがトリムパンチの方向に流入するのをより確実に防止することができる。
【００１１】
【発明の実施の形態】
以下、本発明の実施の形態を、図面を参照して詳細に説明する。図１は、本発明のプレス成形金型１を示す縦断面図である。プレス成形金型１は、予めドロー工程で絞り加工されたワーク２を所用の深さまで仕上げるリストライク工程と、リストライク工程で最終製品の形状となったワーク２から製品以外の不要な部分をスクラップとして切除するトリム工程を同時に実施するのに用いられる。なお、ワーク２の先端には、予め、下方に一段折れ曲がった段差１４が形成されている。
【００１２】
プレス成形金型１は、図１に示すように、ワーク２を曲げ成形するリストパンチ３と、リストパンチ３の左側方に設けられ、後述する切刃７と共にワーク２を切断するトリムパンチ４とを備え、リストパンチ３の上方には、ワーク２をリストパンチ３に押圧するリストダイ５がリストパンチ３に対して上下動自在に配置される。
【００１３】
リストダイ５の左側にはトリムダイ６が並設される。トリムダイ６はリストダイ５と一体に上下動し、ワーク２をトリムパンチ４に押圧する。また、トリムダイ６の右下端部には切刃７が形成され、切刃７は、トリムダイ６がトリムパンチ４にワーク２を押圧したときに、トリムパンチ４と共にワーク２を切断する。
【００１４】
トリムパンチ４の左側には、トリムダイ６と対向して、ワーク規制部８が配置される。ワーク規制部８の上部には、ワーク２の段差１４を右側から当接し、かつ、段差１４の上端から延びるワーク２の下面と当接する当接部９が形成され、当接部９はワーク２の先端の位置決めをする。
【００１５】
また、トリムダイ６の下部には、ワーク挟持部１０と対向して、ワーク挟持部１０が形成される。ワーク挟持部１０は、ワーク２の段差１４を左側から当接し、かつ、段差１４の下端から延びるワーク２の上面と当接して、ワーク２の先端が浮き上がるのを防ぐ。そして、ワーク挟持部１０は、トリムダイ６が下降してワーク２と当接した際に、ワーク規制部８と共にワーク２を挟持する。
【００１６】
次に、このプレス成形金型１を用いて、ワーク２をプレス成形する方法について説明する。まず、図２に示すように、リストダイ５とトリムダイ６を、リストパンチ３とトリムパンチ４の方向（図中の矢印Ａ方向）に下降させ、リストダイ５の下部１１をワーク２のリスト成形部１２に当接させる。このとき、ワーク２の先端に形成された段差１４は、ワーク規制部８の当接部」９により当接され、支持されている。
【００１７】
続いて、図３に示すように、リストダイ５とトリムダイ６を、さらに、矢印Ａ方向に下降させ、トリムダイ６の切刃７をワーク２の切断部１３に当接させる。また、リストダイ５の下部１１は、ワーク２のリスト成形部１２をリストパンチ３の方向に押圧して、ワーク２の曲げ成形を開始する。このとき、ワーク２の段差１４は、ワーク規制部８とワーク挟持部１０とにより挟持される。したがって、ワーク２がトリムパンチ４の方向に流入するのが防止される。
【００１８】
そして、最終的には、図４に示すように、リストダイ５とトリムダイ６はさらに矢印Ａ方向に降下し、トリムダイ６の切刃７とトリムダイ５とでワーク２を切断部１３で切断する。また、リストダイ５は完全に下降して、ワーク２のリスト成形部１２の曲げ成形を完了する。
【００１９】
【発明の効果】
以上のことから、本発明によれば、ワークをプレス成形する際に、ワークがトリムパンチの方向に流入するのを防ぐことができる。したがって、ワークの切断部にシワが生じることがなくなる。
【図面の簡単な説明】
【図１】本発明のプレス成形金型を示す断面図である。
【図２】リストライク工程が開始された状態を示す断面図である。
【図３】トリム工程が開始された状態を示す断面図である。
【図４】リストライク工程とトリム工程が終了した状態を示す断面図である。
【図５】従来のプレス成形方法を示す断面図である。
【符号の説明】
１ プレス成形金型
２ ワーク
３ リストパンチ
４ トリムパンチ
５ リストダイ
６ トリムダイ
７ 切刃
８ ワーク規制部
９ 当接部
１０ ワーク挟持部
１１ 下部
１２ リスト成形部
１３ 切断部
１４ 段差
【図１】
0004575566.tif 000002
【図２】
0004575566.tif 000003
【図３】
0004575566.tif 000004
【図４】
0004575566.tif 000005
【図５】
0004575566.tif 000006